(57)【要約】【課題】角度調整時も含むターン部の止水を確実に行うことができるターン部の止水構造を提供する。【解決手段】ターン軸Ｓａを中心とした円筒状の外周面Ｓ１を有する筒状部１２ｂと、外周面Ｓ１に回動可能に嵌合される内周面Ｓ２を有する取付部４ｃと、外周面Ｓ１に環状に形成されたリング溝Ｇ１と、リング溝Ｇ１に装着されたＯリングＲ６と、外周面Ｓ１に形成された係合凹部Ｇ２と、内周面Ｓ２を有する取付部４ｃに外側から径方向に螺合されるとともに先端部Ｂａを係合凹部Ｇ２に挿入させる抜け止めビスＢ３とを備え、係合凹部Ｇ２は、抜け止めビスＢ３の先端部Ｂａとの間に、ターン軸Ｓａに沿った方向への筒状部１２ｂと取付部４ｃとの相対移動をＯリングＲ６が内周面Ｓ２から外れない範囲内で許容する余裕部Ｙを有する。【選択図】図４
2015130233.tif 000002
【特許請求の範囲】
【請求項１】
ターン軸を中心とした円筒状の外周面を有する第１ターン部と、
前記外周面に回動可能に嵌合される内周面を有する第２ターン部と、
前記外周面と前記内周面とのうちの一方に環状に形成されたリング溝と、
前記リング溝に装着された止水リングと、
前記外周面に形成された係合凹部と、
前記内周面を有する筒状部に外側から径方向に螺合されるとともに先端部を前記係合凹部に挿入させるねじ部材と、を備え、
前記係合凹部は、前記ねじ部材の先端部との間に、前記ターン軸に沿った方向への前記第１ターン部と前記第２ターン部の相対移動を、前記止水リングが前記外周面と前記内周面とのうちの他方から外れない範囲内で許容する余裕部を有する、
ことを特徴とするターン部の止水構造。
【請求項２】
前記係合凹部は、前記外周面の周方向に沿って環状に形成されている、
ことを特徴とする請求項１に記載のターン部の止水構造。
【請求項３】
前記係合凹部は、前記ねじ部材の周方向の移動範囲を規制するストッパを有する、
ことを特徴とする請求項２に記載のターン部の止水構造。
【請求項４】
光源を有する照明器具本体と、前記照明器具本体を回動可能に支持する取付具とを備えた照明器具において、
前記照明器具本体と前記取付具との連結部分に、請求項１ないし３のいずれか１項に記載のターン部の止水構造が設けられている、
ことを特徴とする照明器具。
【発明の詳細な説明】
【技術分野】
【０００１】
本発明は、スポットライト，ダウンライト等の照明器具に採用されるターン部の止水構造、及びこれを備えた照明器具に関する。
【背景技術】
【０００２】
スポットライト，ダウンライト等の照明器具において、水等の浸入を防止するために、Ｏリング等の止水部材を使用する技術が知られている（例えば、特許文献１参照）。
【０００３】
軸心方向に沿って隣接する２つの部材間や径方向に隣接する２つの部材間にＯリング等の止水部材を配設し、これらを押し潰すことにより、止水を実現している。
【先行技術文献】
【特許文献】
【０００４】
【特許文献１】特開２００６−２３６８４６号公報
【発明の概要】
【発明が解決しようとする課題】
【０００５】
しかしながら、特許文献１の発明は、静的な止水には十分であったとしても、相互に揺動自在なチルト部や回動可能なターン部の止水には必ずしも十分でないおそれがある。
【０００６】
例えば、一方の部材に対して他方の部材をターン（回転）可能に連結しているターン部においては、調整ねじを締め付けることで、両部材を固定して所定の回転角度を維持し、また、調整ねじを緩めることで、他方の部材の回転動作を可能とし、他方の部材を動かして角度調整した後、調整ねじを締め付けて固定する。この調整ねじを緩めた際に、Ｏリング等の止水部材の挟持圧が低下して、ここから水が浸入するおそれがある。
【０００７】
本発明は、上述した事情に鑑みてなされたものであり、角度調整時でも止水を確実に行うことができるターン部の止水構造、及びこれを備えた照明器具を提供することを目的とする。
【課題を解決するための手段】
【０００８】
請求項１に係る発明は、ターン部の止水構造において、ターン軸を中心とした円筒状の外周面を有する第１ターン部と、前記外周面に回動可能に嵌合される内周面を有する第２ターン部と、前記外周面と前記内周面とのうちの一方に環状に形成されたリング溝と、前記リング溝に装着された止水リングと、前記外周面に形成された係合凹部と、前記内周面を有する筒状部に外側から径方向に螺合されるとともに先端部を前記係合凹部に挿入させるねじ部材と、を備え、前記係合凹部は、前記ねじ部材の先端部との間に、前記ターン軸に沿った方向への前記第１ターン部と前記第２ターン部の相対移動を、前記止水リングが前記外周面と前記内周面とのうちの他方から外れない範囲内で許容する余裕部を有する、ことを特徴とする。
【０００９】
請求項２に係る発明は、請求項１に係るターン部の止水構造において、前記係合凹部は、前記外周面の周方向に沿って環状に形成されている、ことを特徴とする。
【００１０】
請求項３に係る発明は、請求項２に係るターン部の止水構造において、前記係合凹部は、前記ねじ部材の周方向の移動範囲を規制するストッパを有する、ことを特徴とする。
【００１１】
請求項４に係る発明は、光源を有する照明器具本体と、前記照明器具本体を回動可能に支持する取付具とを備えた照明器具において、前記照明器具本体と前記取付具との連結部分に、請求項１ないし３のいずれか１項に記載のターン部の止水構造が設けられている、ことを特徴とする。
【発明の効果】
【００１２】
請求項１の発明によれば、ねじ部材が筒状部に螺合させてその先端部を係合凸部に挿入させている場合は、第１ターン部と第２ターン部とが外れることを防止することができ、さらに、第１ターン部と第２ターン部とがターン軸方向の多少ずれている場合であっても、そのずれは余裕部の範囲内に収まるので、常に止水リングによる止水を行うことができる。
【００１３】
請求項２の発明によれば、ねじ部材は、環状の係合凹部に沿って、相対回転することができるので、第１ターン部と第２ターン部とが相対回転することができる。
請求項３の発明によれば、ねじ部材がストッパに当接することにより、第１ターン部と第２ターン部との相対回転角度が規制される。
請求項４の発明によれば、照明器具本体と取付具との連結部分において、上述の効果を奏することができる。
【図面の簡単な説明】
【００１４】
【図１】前側から見た照明器具１００の分解斜視図である。
【図２】照明器具１００の正面図である。
【図３】図２中のＡ−Ａ線矢視図である。
【図４】図３中のパンホルダー１５近傍の拡大図である。
【図５】抜け止めビスの回転範囲を説明する模式図である。
【図６】インナーボディー４の取付部４ｃに対するパンホルダー１５の取付けを説明する図である。
【発明を実施するための形態】
【００１５】
以下、本発明を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
【００１６】
まず、図１〜図３を参照して本発明を適用した実施形態に係る照明器具１００について説明し、つづいて、図４〜図６を参照して本発明を適用した実施形態に係るターン部の止水構造Ｓについて説明する。
【００１７】
なお、以下では、説明の便宜上、図１中の左側、右側がそれぞれ照明器具１００の前側、後側に対応し、また、図１中の上側、下側がそれぞれ照明器具１００の上側、下側に対応するものとして説明する。
【００１８】
ここで、図１は、前側から見た照明器具１００の分解斜視図である。また、図２は、照明器具１００の正面図である。そして、図３は、図２中のＡ−Ａ線矢視図である。
【００１９】
以下の説明では、照明器具１００が、屋外に設置されるスポットライトである場合を例に説明する。このため、屋内用のスポットライトと比較して、後述するＯリングＲ１〜Ｒ６等により防水性が向上され、さらに、後述するアーム１３等により、照明器具本体Ｂｏの回転（ターン）及び首振り（チルト）が可能となっている。
【００２０】
照明器具１００は、図１に示すように、照明器具本体Ｂｏとこの照明器具本体Ｂｏを所定の位置に取り付けるための取付具Ｍｏとから構成されている。照明器具本体Ｂｏは、軸心Ｃ１に沿って後側からほぼ順に、アウターガード１、ソケット２、面状光源（光源）３、インナーボディー４、リフレクター５、フィルターＦ１，Ｆ２（区別する必要がない場合には、単にフィルターＦという。）、フィルターホルダー６、ガラスホルダー（保持部材）７、プロテクトガラス８、及びフード９を備えている。一方、取付具Ｍｏは、下側からほぼ順に、ベース１０、アーム１３（下アーム１１、上アーム１２）、チルトホルダー１４、及びパンホルダー１５を備えている。さらに、照明器具１００は、防水や止水のためのＯリングＲ１〜Ｒ６、及び上述の各部材を締結（固定）するための多数のビスを備えている。
【００２１】
上述の照明器具本体Ｂｏ（アウターガード１〜フード９）のうち、アウターガード１は、図１，図３に示すように、円筒状の外壁１ａと、外壁１ａの後端側内側に配置されたヒートシンク１ｂと、多数の放熱フィン１ｃとを有している。放熱フィン１ｃは、外壁１ａとヒートシンク１ｂとの間に放射状に多数設けられている。さらに、放熱フィン１ｃは、後側から見た背面視の形状が湾曲形状に形成されるとともに、外壁１ａの前端まで延設されていて、放熱効果を高めるべく表面積の増大が図られている。外壁１ａにおける前後方向の中心よりも前寄りの下側には、後述する上アーム１２の上端が貫通する透孔１ｄが穿設されている。アウターガード１全体は、例えば、アルミニウムのダイキャストで形成されていて、後述の面状光源３で発生した熱を、速やかにヒートシンクに移動させ、さらに、放熱フィン１ｃ及び外壁１ａから放熱するようになっている。
【００２２】
面状光源３は、例えば、多数のＬＥＤ素子を有するＣＯＢ（チップ・オン・ボード）タイプのＬＥＤの表面を、蛍光体を含む樹脂で覆って形成されたものを使用することができる。面状光源３は、例えば、円形に形成されていて、ソケット２により、上述のヒートシンク１ｂの取付面（前端面）１ｅに固定されている。面状光源３は、前方に向かってほぼ１２０度の照射角で光を発生させる。なお、光源としては、上述の面状光源３に限らず、他の面状光源や、ハロゲンランプ，ＨＩＤランプ（高輝度放電ランプ ）などのいわゆる点状光源を使用してもよい。
【００２３】
インナーボディー４は、筒状部４ａと、この筒状部４ａの前端側に設けられたフランジ部４ｂと、筒状部４ａの下端に突設された取付部４ｃとを有している。筒状部４ａの後端側上部には、筒状部４ａの内側と外側とを貫通する透孔（不図示）が穿設されている。この透孔は、シートカバー４ｄで固定された内圧調整膜４ｅで覆われている。内圧調整膜４ｅは、面状光源３の発熱に伴って上昇した内圧を透孔から外部に逃がすとともに、外部からの水や塵埃の浸入を防止するものである。インナーボディー４は、筒状部４ａの後端がＯリングＲ１を介してヒートシンク１ｂの取付面１ｅに固定され、また、取付部４ｃには上アーム１２の上端が、回動可能に取り付けられている。インナーボディー４は、その内側に、次に説明するリフレクター５が収納されている。
【００２４】
リフレクター５は、その内面が放物曲面状に形成された反射面５ａとなっている。リフレクター５の後端は面状光源３を配設するためにカットされ、また、前端は、外側に屈曲されてフランジ部５ｂを構成している。リフレクター５は、そのフランジ部５ｂがインナーボディー４のフランジ部４ｂに前側から固定され、放物曲面状の反射面５ａの焦点が面状光源３の中心に合わされている。これにより、面状光源３から出た光は、反射面５ａで反射されて、軸心Ｃ１に対してほぼ平行となって前面開口部５ｃから出て行くようになっている。
【００２５】
フィルターホルダー６は、円筒部６ａとその後端に形成されたフランジ部６ｂとを有している。円筒部６ａの内周面には、２つの環状凹部が形成されていて、これら環状凹部により、光を演出する円板状のフィルターＦ１，Ｆ２を保持している。フィルターＦとしては、光の演出が異なる別のフィルターＦを装着することも可能である。フィルターホルダー６は、シリコーンゴム等の弾性部材によって形成されていて、フランジ部６ｂがリフレクター５と次に説明するガラスホルダー７とによって挟持されている。
【００２６】
ガラスホルダー７は、筒状部７ａとその後端に形成されたフランジ部７ｂとを有している。ガラスホルダー７は、その筒状部７ａの内側に、フィルターホルダー６の円筒部６ａが挿入された状態で、筒状部７ａの後端がリフレクター５のフランジ部５ｂとの間で、フィルターホルダー６のフランジ部６ｂを挟持している。
【００２７】
フード９は、筒状部９ａとその前端から内側に延びる円環部９ｂとを有している。フード９は、円環部９ｂの後端面がＯリングＲ３を介してプロテクトガラス８をガラスホルダー７のフランジ部７ｂに押圧し、また、筒状部９ａがＯリングＲ２を介してインナーボディー４のフランジ部４ｂの外周部に嵌合された状態で、インナーボディー４のフランジ部４ｂの前側に、六角穴付きのビスＢ４によって固定されている。
【００２８】
上述の取付具Ｍｏ（ベース１０〜パンホルダー１５）のうち、ベース１０は、容器状の下ベース１０ａと蓋状の上ベース１０ｂとを組み合わせて構成されていて、上ベース１０ｂの上面には、台座１０ｃが設けられている。
【００２９】
下アーム１１は、上端に下チルト部１１ａを有しており、下端がＯリングＲ４を介して上ベース１０ｂの台座１０ｃに固定されることにより、ベース１０に立設されている。
【００３０】
上アーム１２は、下端に上チルト部１２ａを有している。この上チルト部１２ａは、ＯリングＲ５を介して下アーム１１の下チルト部１１ａに回動可能に係合されるとともに、六角穴付きのビスＢ１によって固定されている。これにより、ビスＢ１を緩めることにより、上アーム１２は、下アーム１１に対して上下方向に傾斜（チルト）することが可能となり、ビスＢ１を締め付けることにより、そのときの傾斜角を維持した状態で固定される。
【００３１】
チルトホルダー１４は、下アーム１１の下チルト部１１ａの右端面に、ストッパとして配設されている。チルトホルダー１４は、下チルト部１１ａによって回動可能に支持されるとともに、一部が上アーム１２に固定されている。また、チルトホルダー１４と下チルト部１１ａの右端面との間には間隙が設けられている。ビスＢ１を緩めて行くと、下チルト部１１ａは、上チルト部１２ａに対して間隙に相当する距離だけ移動してチルトホルダー１４に当接し、それ以上の移動が禁止される。さらに、このときの下チルト部１１ａの移動範囲内では、ＯリングＲ５による止水性能は低下しないようになっている。つまり、ビスＢ１を緩めてチルト角を調整する際にも、確実に止水を行うことができる。また、このチルトホルダー１４には、目盛りが付されていて、下アーム１１に対する上アーム１２のチルト角を確認することができるようになっている。
【００３２】
上アーム１２の上下方向のほぼ中央には、外周面を４等分する位置のそれぞれにセットビスＢ２が、頭部を突出させた状態で螺合されている。また、上アーム１２の上端は、外周面にＯリングＲ６が装着された状態で、上述のアウターガード１の外壁１ａの透孔１ｄを貫通してインナーボディー４の取付部４ｃに挿入されている。このとき、取付部４ｃの下端がセットビスＢ２の頭部に当接している。すなわち、インナーボディー４は、上アーム１２のセットビスＢ２に乗っかった状態で、回動可能となっている。さらに、取付部４ｃには、抜け止めビスＢ３が螺合されていて、その先端部を上アーム１２の上端部に係合させている。
【００３３】
パンホルダー１５は、インナーボディー４の取付部４ｃに下方から六角穴付きのビスＢ５によって固定されている。パンホルダー１５は、取付部４ｃの下端との間に、上述の４本のセットビスＢ２の頭部を挟み込んで、上アーム１２に対するインナーボディー４の上下方向の位置を規制するとともに、インナーボディー４の回動を可能にしている。パンホルダー１５は、さらに、４本のセットビスＢ２及び抜け止めビスＢ３を覆って、これらが不要に操作されないようにしている。
【００３４】
上述の照明器具１００において、面状光源３から出た光は、インナーボディー４に収納されたリフレクター５の反射面５ａで反射され、フィルターＦ１，Ｆ２、及びプロテクトガラス８を透過して、外部に出て行く。このとき面状光源３で発生した熱は、アウターガード１等を介して放出される。また、下アーム１１に対して上アーム１２が揺動可能（チルト可能）に取り付けられ、さらに、上アーム１２に対してインナーボディー４が回動可能（ターン可能）に取り付けられている。つまり、照明器具本体Ｂｏは、取付具Ｍｏに対して、チルト可能かつターン可能となっている。さらに、上述のように隣接する各部材間に、多数のＯリングＲ１〜Ｒ６を介装することにより、防水性・止水性を向上させている。
【００３５】
つづいて、図４〜図６を参照してターン部の止水構造Ｓについて説明する。ここで、図４は、図３中のパンホルダー１５近傍の拡大図である。また、図５は、抜け止めビスＢ３の回転範囲を説明する模式図である。また、図６は、インナーボディー４の取付部４ｃに対するパンホルダー１５の取付けを説明する図である。
【００３６】
図４に示すように、ターン部の止水構造Ｓは、上アーム１２の筒状部（第１ターン部）１２ｂと、インナーボディー４の取付部（第２ターン部）４ｃと、リング溝Ｇ１と、Ｏリング（止水リング）Ｒ６と、係合凹部Ｇ２と、抜け止めビス（ねじ部材）Ｂ３とを備えて構成されている。なお、筒状部１２ｂと取付部４ｃとによってターン部Ｔを構成している。
【００３７】
このうち、上アーム１２は、その上部に筒状部１２ｂを有し、筒状部１２ｂは、ターン軸Ｓａを中心とした円筒状の外周面Ｓ１を有している。筒状部１２ｂの外周面Ｓ１における上端近傍には、全周にわたってリング溝Ｇ１が環状に形成されている。リング溝Ｇ１には、リングＲ６が装着されている。外周面Ｓ１におけるリング溝Ｇ１の少し下方には、係合凹部Ｇ２が形成されている。この係合凹部Ｇ２は、図４に示すように略環状に形成されている。係合凹部Ｇ２には、筒状部１２ｂの一部であるストッパ１２ｃが設けられている。このストッパ１２ｃは、抜け止めビスＢ３の回転範囲θを規制するものである。例えば、回転範囲θは、周方向に沿って一方側及び他方側のそれぞれ１７０度に設定されている。なお、回転範囲θは、ストッパ１２ｃの位置を変更したり、２箇所に設けたりして、適宜に設定することができる。外周面Ｓ１における係合凹部Ｇ２の少し下側には、セットビスＢ２が螺合されている。セットビスＢ２は、外周面Ｓ１を周方向に４等分する位置のそれぞれに合計４本が螺合されている。各セットビスＢ２は、先端側を螺合させて、頭部を外周面Ｓ１から外側に向かって突出させている。
【００３８】
インナーボディー４の取付部４ｃは、ほぼ円筒状に形成されている。取付部４ｃの内側には、上述の上アーム１２の筒状部１２ｂの外周面Ｓ１に対して、回動可能（正逆回転可能）に嵌合される内周面Ｓ２が形成されている。取付部４ｃは、その下端部４ｆを上述の４本のセットビスＢ２の上に乗せている。取付部４ｃにおける下端部４ｆよりも少し上には、抜け止めビスＢ３が螺合されている。抜け止めビスＢ３は、その中間部を取付部４ｃに外側から径方向に螺合させ、先端部Ｂａを係合凹部Ｇ２に挿入させている。係合凹部Ｇ２に挿入された状態の抜け止めビスＢ３の先端部Ｂａと、係合凹部Ｇ２との間には余裕部Ｙが設けられている。なお、余裕部Ｙについては後に詳述する。
【００３９】
上述の抜け止めビスＢ３及び４本のセットビスＢ２は、パンホルダー１５によって覆われている。パンホルダー１５は、図４に示すように、小筒部１５ｃと、その上端から外側に延びる小フランジ部１５ａと、その外端から上方に延びる大筒部１５ｂと、図６に示すように、大筒部１５ｂの上端を周方向に２等分する位置のそれぞれから外側に向かって突設された固定部１５ｄとを有していて、これら各部が一体に形成されている。パンホルダー１５は、固定部１５ｄを下方から貫通して取付部４ｃに螺合されるビスＢ５によって、取付部４ｃに下側から固定されている。パンホルダー１５は、このとき、小フランジ部１５ａと、インナーボディー４の円筒状の取付部４ｃの下端部４ｆとの間で、４本のセットビスＢ２を挟持している。この状態では、筒状部１２ｂに対して取付部４ｃを回転させることはできない。つまり、取付具Ｍｏに対して照明器具本体Ｂｏを回転させて角度調整をすることができない。ビスＢ５を緩めると、４本のセットビスＢ２の挟持が解除されるため、筒状部１２ｂに対して取付部４ｃを回転させることが可能となる。つまり、取付具Ｍｏに対して照明器具本体Ｂｏを回転させて角度調整することができる。パンホルダー１５は、上述のように、取付部４ｃとの間にセットビスＢ２を挟持したりその解除をしたりするほか、抜け止めビスＢ３及び４本のセットビスＢ２を外側から覆って、これらが不要に操作されないようにしている。
【００４０】
上述のように、照明器具１００は、ビスＢ５を緩めることで、取付具Ｍｏに対する照明器具本体Ｂｏの角度調整（回転）が可能となる。角度調整に際し、上アーム１２の筒状部１２ｂに対して取付部４ｃが回転する。このとき、筒状部１２ｂ及びこれと一体の４本のセットビスＢ２、ＯリングＲ６は不動であるのに対し、取付部４ｃ、抜け止めビスＢ３、及びパンホルダー１５は、一体となって可動部を構成して回転する。そして、回転中も、ＯリングＲ６による止水状態は保持される。角度調整終了後、ビスＢ５を締め付けることで、取付具Ｍｏに対して照明器具本体Ｂｏを固定することができる。
【００４１】
つづいて、抜け止めビスＢ３の先端部Ｂａの近傍に設けた余裕部Ｙについて説明する。筒状部１２ｂの係合凹部Ｇ２に挿入された抜け止めビスＢ３の先端部Ｂａと、係合凹部Ｇ２の上面Ｇｂ及び下面Ｇｃとの間には、それぞれ距離ｃ，ｄの余裕部（間隙）が設けられている。言い換えると、係合凹部Ｇ２の上下方向の寸法、つまり、上面Ｇｂと下面Ｇｃとの距離は、抜け止めビスＢ３の先端部Ｂａの直径をｂとすると、この直径ｂに余裕部Ｙの距離ｃ及び距離ｄを加えた値となる。
【００４２】
本実施形態では、パンホルダー１５が取り外された状態、例えば、誤って取り外されてしまった場合や照明器具１００の組立・分解を行う場合には、照明器具本体Ｂｏは、インナーボディー４の取付部４ｃの下端部４ｆを単に４本のセットビスＢ２に乗せているだけなので、全体を大きく傾斜させたり、上下逆転させたりした場合には、取付具Ｍｏから照明器具本体Ｂｏが外れてしまうことになる。
【００４３】
そこで、抜け止めビスＢ３を、照明器具本体Ｂｏ側の取付部４ｃに螺合させて、抜け止めビスＢ３の先端部Ｂａを取付具Ｍｏ側の筒状部１２ｂの係合凹部Ｇ２に挿入させている。これにより、照明器具本体Ｂｏと取付具Ｍｏとが外れることを防止している。
【００４４】
ここで、抜け止めビスＢ３は、単に抜け止めであるという観点からすると、抜け止めビスＢ３の先端部Ｂａと係合凹部Ｇ２との間には、特に余裕部Ｙを設ける必要はなく、組立時等に、先端部Ｂａを係合凹部Ｇ２に挿入する際の適宜な間隙があれば十分である。
【００４５】
しかしながら、本実施形態では、抜け止めビスＢ３を単に抜け止めだけではなく、後に具体的に説明するが、抜け止めビスＢ３を、組立・分解時等の作業性を向上させるためにも使用している。つまり、抜け止めは行った上で、組立・分解時等に照明器具本体Ｂｏと取付具Ｍｏとのターン軸Ｓａに沿ったある程度の相対移動を可能にするために余裕部Ｙを積極的に設けて、組立・分解時の利便性を向上させている。
【００４６】
この観点からは、特に余裕部に上限を設ける必要はないが、さらに、本実施形態では、照明器具本体Ｂｏと取付具Ｍｏとが、組立・分解中も含めて最大限移動した場合であっても、常にＯリングＲ６による止水性能が低下しないようにするために、余裕部Ｙに以下のような上限を設けている。つまり、余裕部Ｙは、外周面Ｓ１と内周面Ｓ２とのターン軸Ｓａ方向の相対移動を、ＯリングＲ６が内周面Ｓ２から外れない範囲内で許容する。
以下に、具体的に説明する。なお、以下の説明では、パンホルダー１５に加えて、４本のセットビスＢ２が外されている場合も考慮している。
【００４７】
ここで、筒状部１２ｂにおける係合凹部Ｇ２の上側に形成されているリング溝Ｇ１の上面から取付部４ｃの上面４ｅまでの距離をａとすると、この距離ａは、ＯリングＲ６（の上端）から上面４ｅまでの距離とほぼ等しくなる。
【００４８】
本実施形態においては、上述の距離ａ，ｄについて、
ｄ＜ａ
の関係を満たすように、距離ａ，ｄを設定している。これにより、抜け止めビスＢ３が正しく取り付けられている限り、例えば、照明器具１００の組立中や分解中に、取付部４ｃと筒状部１２ｂとがターン軸Ｓａに沿った方向にずれてしまった場合でも、両者が外れることを防止できるのはもちろん、ＯリングＲ６が取付部４ｃの上面４ｅから外れるのを防止して、止水性能を保持することが可能となる。
【００４９】
一方、余裕部Ｙの距離ｃを確保することにより、組立時の抜け止めビスＢ３の取付作業が容易になる。すなわち、組立時の、筒状部１２ｂのリング溝Ｇ１にＯリングＲ６を装着して、取付部４ｃの内周面Ｓ２に挿入した後に、抜け止めビスＢ３を取付部４ｃに螺合させて、先端部Ｂａを係合凹部Ｇ２に挿入する作業が、余裕部Ｙの距離ｃを確保しておくことで容易になる。
【００５０】
さらに、距離ｃを確保しておくことで、４本のセットビスＢ２の取付・取り外し作業が容易になる。組立時の抜け止めビスＢ３、４本のセットビスＢ２、及びパンホルダー１５の取付順は、この順となる。まず、はじめに、上述のようにして、抜け止めビスＢ３を取り付ける。この抜け止めビスＢ３が正しく取り付けられている限り、組立途中の各部材を傾斜させたり、上下反転させたりしても、取付部４ｃと筒状部１２ｂとが外れることはない。このため、組立途中の各部品等を作業性の高い向きに自由に替えることができる。
【００５１】
つづいて、４本のセットビスＢ２を取り付けるが、このとき、全体が図４に示す向きを向いていると、筒状部１２ｂに対して、取付部４ｃが余裕部Ｙの距離ｃだけ下降して、取付部４ｃの下端がセットビスＢ２の取付先となる穴１２ｄを塞いでしまう。そこで、上下反転することにより、取付部４ｃが余裕部Ｙの距離ｃに相当する距離だけ下降（図４中では上昇）して、セットビスＢ２の取付先の穴１２ｄ露出させることができ、これにより、セットビスＢ２の取付作業の作業性が向上する。
【００５２】
その後、パンホルダー１５を取付部４ｃに下方から取り付ける。パンホルダー１５は、上述のように、取付部４ｃの下端部４ｆとの間で、４本のセットビスＢ２を挟持するとともに、４本のセットビスＢ２及び抜け止めビスＢ３を覆って、これらが不要に操作できないようにしている。
【００５３】
上述のターン部の止水構造Ｓは、上述の照明器具１００においては、照明器具本体Ｂｏと取付具Ｍｏとの連結部分、さらに詳しくは、上アーム１２とインナーボディー４との連結部分に設けられている。
【００５４】
なお、分解時には、パンホルダー１５、４本のセットビスＢ２、抜け止めビスＢ３の順に取り外すことになるが、このときも、余裕部Ｙが設けてあることに起因して、組立時と同様の効果を奏することができる。
以上説明したように、上述のターン部の止水構造Ｓによると、以下のような作用、効果を奏する。
【００５５】
取付部４ｃに螺合させた抜け止めビスＢ３の先端部Ｂａを、筒状部１２ｂの係合凹部Ｇ２に挿入し、しかも、余裕部Ｙをもって挿入することにより、組立後ばかりでなく、組立・分解の作業中においても、ＯリングＲ６の止水性能は保持したままで、取付部４ｃと筒状部１２ｂとが外れることを確実に防止することができ、さらに、組立・分解時の作業性を向上させることができる。
【符号の説明】
【００５６】
３      面状光源（光源）
４      インナーボディー
４ｃ    取付部（第２ターン部、筒状部）
１２    上アーム
１２ｂ  筒状部（第１ターン部）
１２ｃ  ストッパ
Ｂｏ    照明器具本体
Ｂ３    抜け止めビス
Ｂａ    先端部
Ｇ１    リング溝
Ｇ２    係合凹部
Ｍｏ    取付具
Ｒ６    Ｏリング（止水リング）
Ｓ      ターン部の止水構造
Ｓ１    外周面（一方）
Ｓ２    内周面（他方）
Ｓａ    ターン軸
Ｔ      ターン部
Ｙ      余裕部
【図１】
2015130233.tif 000003
【図２】
2015130233.tif 000004
【図３】
2015130233.tif 000005
【図４】
2015130233.tif 000006
【図５】
2015130233.tif 000007
【図６】
2015130233.tif 000008